(57)【要約】【課題】  犯罪者に対して牽制や警告を音と光等を用いて効果的に行うことによって、防犯に対する心理的効果を充分に持たせることを可能にすると共に、ロッカールーム等に対してもプライバシー問題を発生させることなく安心して設置できるように工夫した防犯システムを提供する。【解決手段】  各種施設の入口や出口、或いは、場内等の各所に車輌や人間を検知するセンサ２０，２１，２２を設け、これ等センサ２０，２１，２２による検知間隔が所定時間を過ぎると、場内等に演出表現器２３が人の気配や監視の気配を与える演出表現を出力する。【選択図】    図１
2005242610.tif 000002
【特許請求の範囲】
【請求項１】
入口や出口、或いは、場内や屋内と言った各所に、車輌や人間等を検知することができる検知手段を設け、この検知手段が車輌や人間等を検知すると、検知出力手段が音や光で検知出力するように構成した防犯システムであって、
前記検知手段が前回の検知から所定時間を過ぎても車輌や人間等を検知しない場合に、場内や屋内に恰も人の気配や監視の気配が存在するかのような演出表現を造り出して出力することができる演出モード実行手段を設けたことを特徴とする防犯システム。
【請求項２】
前記の演出モード実行手段によって造り出される演出表現が、人の声、足音、ドアの開閉音、警告音或いは注意音、又は、光のいずれかを用いたものであり、且つ、これ等各音の音量や音色、或いは、光の量や色が異なる演出表現が予め複数種用意されていて、各演出表現の出力タイミングがランダム又は設定自在に構成されていることを特徴とする請求項１に記載の防犯システム。
【請求項３】
前記の検知手段が前回の検知から所定時間を過ぎても車輌や人間等を検知しない場合に、前記の演出モード実行手段が初回の演出表現を一定時間行い、次いで、次回以降の演出表現を行うように構成すると共に、次回以降の演出表現を初回及び前回の演出表現とは異なる演出にて順次行うように構成したことを特徴とする請求項１又は２に記載の防犯システム。
【請求項４】
場内や屋内に設置される検知手段が、場内や屋内の各フロア或いは各ブロック毎に設けられ、且つ、各フロア及び各ブロックの全エリア内をカバーすることができるエリアセンサであって、前記入口や出口に設置した検知手段が未検知であるのに、上記エリアセンサが検知した場合に、前記演出モード実行手段が前記演出表現を出力するように構成したことを特徴とする請求項１，２又は３に記載の防犯システム。
【請求項５】
前記入口や出口の検知手段が未検知であるのに、前記場内や屋内のエリアセンサが検知の場合は、その検知状態を記録すると共に、管理者に通報するように構成したことを特徴とする請求項４に記載の防犯システム。
【請求項６】
前記演出モード実行手段によって出力される演出表現は、前記入口又は出口に設置した検知手段が新たに車輌や人間等を検知するまで続けるか、又は、予め設定した時間まで続けて、その後、通常モードに戻るように構成したことを特徴とする請求項１、２，又は４に記載の防犯システム。
【発明の詳細な説明】
【技術分野】
【０００１】
本発明は、駐車場やロッカールーム等の各種施設における盗難や、いたずら等に対する防犯を目的とする防犯システムに関するものであって、具体的には、駐車場やロッカールーム等に侵入した不審者に対して牽制や警告を行うことで、犯罪を未然に防止できるように工夫した防犯システムに関するものである。
【背景技術】
【０００２】
駐車場に関する防犯システムに付いては、例えば、特許文献１の「駐車場用および入退出者用管理装置」に見られるように、駐車場に入場する際に、車輌及び運転者をビデオカメラで撮影し、その撮像と入庫時刻、駐車券ナンバー及びパレットナンバーといった入庫時の特有データを記録することによって、防犯に役立たせるように構成したものが存在する。
【特許文献１】特開平７−１９２１９８号公報
【発明の開示】
【発明が解決しようとする課題】
【０００３】
しかし、上記特許文献１に記載のシステムでは、場内をビデオカメラで撮影して、犯罪が起きた後に、その状況をビデオで検証して証拠等に活用するものであるため、犯罪を予防する観点からすると、その効果は余り期待することができなかった。
【０００４】
更に、ビデオカメラの設置場所や設置台数によっては、犯罪者に対する牽制効果を充分に発揮することができず、また、ビデオカメラによる記録にも限界があって、充分な犯罪効果を期待できない問題があった。加えて、ビデオカメラを用いた防犯システムは、プライバシーを保護する点でロッカールーム等には安易に利用できない問題もあった。
【０００５】
従って本発明の技術的課題は、犯罪者に対して牽制や警告を音と光等を用いて効果的に行うことによって、防犯に対する心理的効果を充分に持たせることを可能にすると共に、ロッカールーム等に対してもプライバシー問題を発生させることなく安心して設置できるように工夫した防犯システムを提供することである。
【課題を解決するための手段】
【０００６】
（１）  上記の技術的課題を解決するために、本発明の請求項１に係る防犯システムは、入口や出口、或いは、場内や屋内と言った各所に、車輌や人間等を検知することができる検知手段を設け、この検知手段が車輌や人間等を検知すると、検知出力手段が音や光で検知出力するように構成した防犯システムであって、前記検知手段が前回の検知から所定時間を過ぎても車輌や人間等を検知しない場合に、場内や屋内に恰も人の気配や監視の気配が存在するかのような演出表現を造り出して出力することができる演出モード実行手段を設けたことを特徴としている。
【０００７】
（２）  また、本発明の請求項２に係る防犯システムは、前記の演出モード実行手段によって造り出される演出表現が、人の声、足音、ドアの開閉音、警告音或いは注意音、又は、光のいずれかを用いたものであり、且つ、、これ等各音の音量や音色、或いは、光の量や色が異なる演出表現が予め複数種用意されていて、各演出表現の出力タイミングがランダム又は設定自在に構成されていることを特徴としている。
【０００８】
（３）  また、本発明の請求項３に係る防犯システムは、前記の検知手段が前回の検知から所定時間を過ぎても車輌や人間等を検知しない場合に、前記の演出モード実行手段が初回の演出表現を一定時間行い、次いで、次回以降の演出表現を行うように構成すると共に、次回以降の演出表現を初回及び前回の演出表現とは異なる演出にて順次行うように構成したことを特徴としている。
【０００９】
（４）  また、本発明の請求項４に係る防犯システムは、場内や屋内に設置される検知手段が、場内や屋内の各フロア或いは各ブロック毎に設けられ、且つ、各フロア及び各ブロックの全エリア内をカバーすることができるエリアセンサであって、前記入口や出口に設置した検知手段が未検知であるのに、上記エリアセンサが検知した場合に、前記演出モード実行手段が前記演出表現を出力するように構成したことを特徴としている。
【００１０】
（５）  また、本発明の請求項５に係る防犯システムは、前記入口や出口の検知手段が未検知であるのに、前記場内や屋内のエリアセンサが検知の場合は、その検知状態を記録すると共に、管理者に通報するように構成したことを特徴としている。
【００１１】
（６）  更に、本発明の請求項６に係る防犯システムは、前記演出モード実行手段によって出力される演出表現は、前記入口又は出口に設置した検知手段が新たに車輌や人間等を検知するまで続けるか、又は、予め設定した時間まで続けて、その後、通常モードに戻るように構成したことを特徴としている。
【００１２】
上記（１）で述べた請求項１に係る手段によれば、車輌や人が常時出入りする状態では、比較的人目が多く、また、管理人や監視員等による監視の目が行き届くことになるが、深夜とか特定の時間帯により、車輌や人の出入りが少なくなると、犯罪が起きやすくなる。そこで、そのような状況が発生する時、つまり所定の時間、継続して車輌や人等の出入りの検知が無い状態になると、本発明の防犯システムが稼働することになる。本システムが稼働すると、恰も管理人や監視員、或いは、先客が近くにいるかの如く、人の気配や監視の気配を表す、いわゆる演出音や演出光等を発生させるため、これ等の演出表現によって不審者を牽制したり、不審者に警戒感を与えたりして、犯罪を未然に防ぐことを可能にする。
【００１３】
上記（２）で述べた請求項２に係る手段によれば、上記の演出表現は、例えば、人の声、足音、ドアを開ける音、その他のあらゆる効果音や光を有するものであり、その音と光により、不審者（犯罪者）が人の気配を感じてその場を立ち去ることを期待するものであって、不審者に対して犯罪抑止圧力を充分に与えることができる。
【００１４】
上記（３）で述べた請求項３に係る手段によれば、上記の演出表現を、例えば、最初は通常の検知音とし、次回を特殊な演出音とする等、色々なケースが考えられる。それにより、犯罪者によってこのシステムのからくりを見破られないようにすることを可能にする。
【００１５】
上記（４）で述べた請求項４に係る手段によれば、入口、出口の検知器が検知してなく、本来人気（ひとけ）がないはずの状況において場内のエリアセンサが検知した場合は、犯罪者が不法に侵入し、又は、潜んでいて、辺りに人がいないことを知って動き始めたようなケースが想定できる。その様な場合は、エリアセンサの検知に併せて、タイムリーに演出表現を実行することができる。そのことで、犯罪者（不審者）が恰も自分を誰かが監視しているかの如き心理的な圧迫感を感じ、犯罪行為を思い止まらせる効果を発揮することができる。
【００１６】
上記（５）で述べた請求項５に係る手段によれば、入口、出口の検知器が検知してなく、本来人気がないはずの状況において場内のエリアセンサが人を検知した場合は、犯罪者が不法に侵入し、又は、潜んでいて、辺りに人がいないことを知って動き始めたようなケースであるから、このような場合はその事実を記録に残すと共に、管理者に対して所定の通報を出力して、犯罪の発生を防止することができる。
【００１７】
上記（６）で述べた請求項６に係る手段によれば、騒音防止の観点から、演出表現の連続出力を停止することを可能にする。
【発明の効果】
【００１８】
以上述べた次第で、本発明に係る防犯システムによれば、駐車場やロッカールーム等のように、通常、短時間で用を済ませて出て行く場内或いは屋内施設において、防犯のためにビデオカメラや防犯カメラ等を設置しなくても、音と光を用いた演出表現によって不審者（犯罪者）に人の気配や監視の気配を感じさせて牽制することができるものであって、無人状態の時に発生する盗難等の犯罪を未然に防止できると共に、カメラ類を一切使用しないため、比較的安価に提供でき、且つ、プライバシー問題の発生も配慮した優れたシステムを提供することができる。
【発明を実施するための最良の形態】
【００１９】
以下に、上述した本発明に係る防犯システムの実施の形態を図面と共に説明すると、図１は本発明が実施された駐車場（有料駐車場）の全体を説明した構成図であって、図中、１０は駐車場施設、１０Ｔは駐車場を構成する多層式の建物で、１０Ａ，１０Ｂ，１０Ｃ，１０Ｄ，１０Ｅは駐車用の各フロア、１５Ａ，１５Ｂ，１５Ｃ，１５Ｄは各フロア１０Ａ〜１０Ｅの間に設けた車輌用のスロープ、１３と１４は１階のフロア１０Ａに設けた車輌用の入庫口と出庫口で、入庫口１３には駐車券の発行機や入庫ゲート等の入庫管理装置が設けられ、出庫口１４には駐車料金精算機や出庫ゲート等の出庫管理装置が設けられている。
【００２０】
また、１１と１２は上記駐車場の建物１０Ｔに設けた利用客用のエレベータと階段、１１Ａ…は各フロア１０Ａ〜１０Ｅに設けたエレベータ扉（出入り口）、２０は各フロア１０Ａ〜１０Ｅにおける車輌の出入り口部分に設けた車輌検知用出入口センサ、２１…は同じく各フロア１０Ａ〜１０Ｅにおける各エレベータ扉１１Ａ（出入り口）…の部分と、各階段１２の出入り口の部分に設けた人検知用出入り口センサ、２２…は各フロア１０Ａ〜１０Ｅ毎、又は、各エリア毎に各フロア及びエリアをカバーするように設けたエリアセンサ、２３…は各フロア１０Ａ〜１０Ｅ毎に設けたスピーカ及び回転灯等から成る演出表現器であって、上述した各車輌用出入口センサ２０…と、人検知用出入口センサ２１…と、エリアセンサ２２…と、スピーカ及び回転灯等から成る演出表現器２３…は、図１並びに図２に示すように中継器３１を介して制御用コンピュータ３０に接続されている。
【００２１】
上記の制御用コンピュータ３０は、上述した各センサ２０，２１，２２から送られて来る車輌又は人間等の検知信号に基づいて、上記スピーカ及び回転灯等から成る演出表現器２３を制御作動するように構成されていて、演出表現器２３からは、通常モードの時に、上記の車輌用出入口センサ２０…が車輌を検知した時に鳴らす検知音（チャイム音等）を出力し、また、演出モードの時には、恰も各フロア１０Ａ〜１０Ｅ内に人の気配や監視の気配が存在するかのように、人の声や足音、ドアの開閉音や注意音、或いは、光から鳴る演出表現を出力するように構成されている。
【００２２】
尚、上記通常モードから演出モードへの切替は、上記の各センサ２０，２１，２２が前回の検知から所定時間（例えば１０分間〜３０分間程度）過ぎても車輌や人間を検知しない場合に実行される。また、上記演出表現器２３から出力される演出表現は、一種類のものを繰り返し使用する場合と、各音の音量や音色、或いは、光の量や色が異なるものを複数種用意して、これ等複数種の演出表現をランダムに出力したり、設定したプログラムに従って順々に出力する場合とがあるが、プログラムに従って出力する場合は、先ず初回の演出表現を一定時間行った後に、次回以降は、初回及び前回とは異なる演出を行うように構成されている。
【００２３】
更に上記の制御用コンピュータ３０には、騒音防止の観点から連続した車輌検知音の出力を抑制する抑制設定時間Ｔｏを設定・記憶するための記憶部３０Ａと、上記通常モードから演出モードに切替る所定の時間、即ち、演出モード切替時間Ｔ１を設定・記憶するための記憶部３０Ｂと、演出モードを実行する時間（長さ）を決める演出モード時限時間Ｔ２を設定・記憶するための記憶部３０Ｃと、経過時間ｔを刻むタイマー３０Ｄと、複数種の演出モードにプログラムされた演出表現を記憶すると共に、これ等複数種の演出表現をプログラムに従って出力するための演出モード出力カウンタ３０Ｅと、乱数を生成して、演出モード（演出表現）の出力間隔Ｒｎ（図４参照）を設定する乱数生成プログラム３０Ｆが具備されている。
【００２４】
図３は、上述した抑制設定時間Ｔ０と、演出モード切替時間Ｔ１と、演出モード時限時間Ｔ２の、時間的な長さを説明した説明図であって、これ等各時間Ｔ０、Ｔ１、Ｔ２の関係は、図示したようにＴ０＜Ｔ１＜Ｔ２に設定されている。
【００２５】
次に、以上の如く構成した本発明に係る防犯システムの処理動作を、図４に示したフローチャートに従って説明する。
最初のステップＳ１では、車輌と人間を検知する各出入口センサ２０，２１の出力状態、即ち、車輌又は人を検知したか否かが判定され、検知有りの場合はステップＳ１１に進み、検知無しの場合はステップＳ２に進む。尚、以下の説明は、先ず、検知出力が有った場合の処理に付いて行い、その後、検知出力が無かった場合の処理に付いて行う。      
【００２６】
検知出力が有った場合に実行されるステップＳ１１では、前記タイマー３０Ｄの経過時間ｔと抑制設定時間Ｔ０とが比較され、ｔ＜Ｔ０と判断された場合は、騒音防止の観点から連続してチャイム音等の検出音を出力することなく始めのステップＳ１に戻り、ｔ＞Ｔ０と判断された場合は、ステップＳ１２に進む。
【００２７】
ステップＳ１２ではタイマー３０Ｄを０にリセットし、次いで、ステップＳ１３に進んでタイマー３０Ｄの歩進を再開した後、ステップＳ１４に進んで演出モード出力カウンタ３０ＥをＣ＝０にリセットし、次いで、ステップＳ１５に進んで乱数生成プログラム３０Ｆによって乱数が生成され、演出モード出力間隔Ｒｎを、例えば、Ｒｎ＝５分〜１５分（Ｒｎ＝８分、１２分…等）のいずれかに設定し、次のステップＳ１６に進む。
【００２８】
ステップＳ１６では、各出入口センサ２０，２１が車輌や人間を検知した時に鳴る通常モードのチャイム音等を、前記演出表現器２３又は専用のチャイム（図示省略）が出力し、次いで、ステップＳ１７でこの出力時刻等の出力データをメモリに記憶した後、始めのステップＳ１に戻る。
【００２９】
これに対し、ステップＳ１で検知出力が無かった場合に実行されるステップＳ２では、タイマー３０Ｄの経過時間ｔと演出モード切替時間Ｔ１とが比較され、ｔ＜Ｔ１と判断された場合は、チャイム音等を鳴らすことなく始めのステップＳ１に戻り、ｔ＞Ｔ１と判断された場合は、前回の検知出力から所定の時間、即ち、演出モード切替時間Ｔ１が経過したものとして、次のステップＳ３に進む。
【００３０】
ステップＳ３では、上記の経過時間ｔと、上記の演出モード切替時間Ｔ１及び演出モード時限時間Ｔ２とが比較照合されて、ｔ＞Ｔ２＋Ｔ１と判断された場合は、前述したステップＳ１２に進んで、前述したステップＳ１２〜ステップＳ１７の処理が実行されるが、ｔ＜Ｔ２＋Ｔ１と判断された場合は、次のステップＳ４に進んでエリアセンサ２２の検知出力が判定され、ステップＳ４で検知出力無しと判定されると、ステップＳ５に進み、検知出力有りと判定された場合には、後述するステップＳ７の演出出力モードに進む。
【００３１】
ステップＳ５では、演出モード出力カウンタ３０Ｅが照合され、カウンタ数Ｃ＝０と判断されると、ステップＳ１０に進んで、通常モードと同じチャイム音等を鳴らしてステップＳ８に進む。即ち、駐車場内に潜んでいる不審者は熱線の変化がなく、エリアセンサ２２では検知されないため、潜んでいる不審者への初回の牽制音として、前記ステップＳ１６で鳴らしたチャイム音等と同じ音を、演出表現器２３又は専用のチャイム等（図示省略）がフロア１０Ａ〜１０Ｅに流す。このチャイム音等は、人や車輌を検知した時と同じ音であるから、不審者は人や車輌の出入りがあったかのように思って、犯行を思い止まらせる防犯効果を発揮することができる。
【００３２】
その後、ステップＳ８に進んで演出モード出力カウンタ３０Ｅをひとつ、即ち、Ｃ＝＋１に繰り上げ、次いで、ステップＳ９に進んで出力時刻等をメモリに記録及び表示した後、始めのステップＳ１に戻るが、前記ステップＳ５でカウンター数Ｃ＞０と判定された場合には、ステップＳ６に進んで演出モード出力間隔が照合される。
【００３３】
即ち、ステップＳ６では、演出モード切替時間Ｔ１及び前記ステップＳ１５で設定された演出モード出力間隔Ｒｎの和と、タイマーｔとを例えば、Ｃ＝１：ｔ＝Ｔ１＋Ｒ１、Ｃ＝２：ｔ＝Ｔ１＋Ｒ１＋Ｒ２であるか否かを判定し、その結果、ｔ＞＜Ｔ１＋Ｒｎである場合は始めのステップＳ１に戻り、ｔ＝Ｔ１＋Ｒｎである場合は、ステップＳ７に進んで、演出目録Ｎｏ．と乱数（演出モード出力間隔）が該当する演出表現を選択して、これを演出表現器２３に出力させることにより、潜んでいる不審者に対して２回目以降の牽制を行う。尚、実施に当たっては出力する演出表現の目録に予め演出モード出力間隔Ｒｎとして生成される数字を例えば、５：演出Ｎｏ．１，６：演出Ｎｏ．２，７：演出Ｎｏ．３のように付しておく。
【００３４】
その後、上述したステップＳ８に進んで演出モード出力カウンタ３０Ｅをひとつ繰り上げ、次いで、ステップＳ９に進んで出力時刻等のメモリへの記録と表示、或いは、管理人への通報を行った後、再び始めのステップＳ１に戻って上述した各処理を繰り返す。
【００３５】
尚、図面では本発明を駐車場に実施した場合の構成に付いて説明したが、本発明は同様の構成を用いて例えばロッカールームや更衣室、或いは、公衆トイレ、貸金庫室といった、人の出入りの人数を正確に把握することが運用上、また、技術上難しい各種施設への実施が可能であり、また、これ等各種施設における犯罪を未然に防止することも可能である。
【図面の簡単な説明】
【００３６】
【図１】本発明に係る防犯システムが実施された駐車場施設の構成を説明した構成図。
【図２】図１に示した防犯システムの電気的構成を簡略的に示したブロック図。
【図３】抑制設定時間と演出モード切替時間と演出モード時限時間を比較した説明図。
【図４】本発明の動作を説明したフローチャート。
【符号の説明】
【００３７】
１０            駐車場施設
１０Ｔ          建物
１０Ａ，１０Ｂ，１０Ｃ，１０Ｄ、１０Ｅ          フロア
１１            エレベータ
１１Ａ          エレベータ扉（エレベータ出入口）
１２            階段
１３            入庫口
１４            出庫口
１５Ａ，１５Ｂ，１５Ｃ，１５Ｄ          車輌用スロープ
２０            車輌検知用出入口センサ
２１            人検知用出入口センサ
２２            エリアセンサ
２３            スピーカ及び回転灯等からなる演出表現器
３０            制御用コンピュータ
３１            中継器
【図１】
2005242610.tif 000003
【図２】
2005242610.tif 000004
【図３】
2005242610.tif 000005
【図４】
2005242610.tif 000006